(57)【要約】　　　（修正有）【課題】バッテリーの１つの給電端子に、互いに独立した複数系統の給電配線を、簡単・迅速に接続することが出来、又、既に取付済みの在来タイプの端子金具に、更に、付加的に取付けることが出来る端子金具、及びその脱・着時用補助具を提供する。【解決手段】端子金具は、金属帯板をほぼオメガ字形に折曲した如き形態を有して、バッテリーのロッド状給電端子に外嵌させる筒状部分を備え、脚部分に配線用端子を設けた、在来タイプの端子金具と併用出来る様に構成されたものであって、給電端子６０に取付済みの在来タイプの端子金具５０の筒状部分５１ａに外嵌させる為の、縮径用切れ目ａを設けた筒状部１と、その外周面にヒレ状に突設されて複数の配線接続端子３を設けた端子形成部２とを備えた金具本体Ａと、金具本体Ａを前記外嵌状態に固定させる為の固定用部材Ｂとの、組合わせから成る。【選択図】図４　
0003099596.tif 000002
【実用新案登録請求の範囲】
【請求項１】
　金属帯板を、ほぼオメガ字形に折曲した如き形態を備えて、バッテリーのロッド状給電端子に外嵌させる筒状部分を備え、その両脚部分に挿通させた締結ボルトにより外嵌状態を固定させ、脚部分に配線用端子を設けた、在来タイプの端子金具と併用出来る様に構成されたものであって、
　給電端子６０に取付済みの前記在来タイプの端子金具５０の筒状部分５１ａ、又は、給電端子６０に外嵌させる為の、縮径用切れ目ａを設けた筒状部１、及びその外周面にヒレ片状に突設されて、複数の配線接続端子３を設けた端子形成部２とを備えた金具本体Ａと、
　前記外嵌状態の筒状部１を、締付けて固定させる為の固定用部材Ｂとの、組合わせから成ることを特徴とするバッテリー用の端子金具。
【請求項２】
　前記固定用部Ｂ材は、ほぼＵ字形に屈曲させた金属帯板１１の、両脚部分の先端側に、筒状部１を挟み付ける為の湾曲個所１１ａを設け、基端側には、締付ボルト１２の挿通孔を設けた構成を備えることを特徴とする請求項１記載のバッテリー用の端子金具。
【請求項３】
　請求項１又は２記載の端子金具や、請求項１記載の在来タイプの端子金具５０を、給電端子６０に脱・着させる際に、給電端子６０と、給電すベき電気機器との導通が中断されるのを防ぐ為に用いる補助具であって、
　給電端子６０に側方から嵌め込ませる切欠部２１ａ，ｂを備えた挿入プレート２１と、前記端子金具を挟み付ける金属製のクリップ２２と、挿入プレート２１とクリップ２２とを結ぶ導通用配線２３とを備えることを特徴とするバッテリー用の端子金具の脱・着時用補助具。
【考案の詳細な説明】
【技術分野】
【０００１】
　本考案は、バッテリーの給電端子に、既に取付済みの在来タイプの端子金具に、更に、付加的に取付けることが出来て、１つの給電端子に、夫々独立した複数系統の給電配線を並列接続出来る様に構成された、バッテリー用の端子金具、及びその脱・着時用補助具に関する。
【背景技術】
【０００２】
　図７〜図９は、従来例を示すもので、図７及び図８は、在来タイプの代表的な端子金具５０の、平面図及び側面図である。
　図９は、この端子金具５０を、カーバッテリーのロッド状の給電端子６０に取付けた状態を示す側面図である。
　尚、給電端子６０は、その外径が一様ではなく、先端に向けて幾分先細り状になっている。
【０００３】
　端子金具５０は、金属帯板を、ほぼオメガ字形に曲げ加工した金具本体５１の、筒状部分５１ａを、図９に示した様に、給電端子６０に外嵌させた状態を、両脚部分５１ｂ，５１ｂに挿通させた締付ボルト５２に、ナット５３を螺じ込むことにより固定させる様に構成されている。
　そして、一方の脚部分５１ｂの先端には、接続すべき配線（図示略）をカシメ固定させる為の１組のカシメ片を対向状に突設し、このカシメ片を配線用端子５４としている。
【０００４】
　尚、本願出願人は、先に、“バッテリー端子用の配線接続金具”を考案し、「　実願２００３−２２９１　」として出願済みである。
【考案の開示】
【考案が解決しようとする課題】
【０００５】
　上述の様に、既存タイプの端子金具５０には、唯１箇の配線用端子５４を設けているだけである。
　ところが、云う迄も無く、１台の自動車には、車載バッテリーへの接続を要する複数種類の電気機器が組込まれている。
　そこで、この複数の電気機器の夫々は、唯１つの配線用端子５４から延びている、言わば“蛸足配線”の各分岐配線の末端に接続されることになる。
【０００６】
　この様な配線状態では、複数種類の電気機器のうちの１つでも故障すれば、その点検・補修の為に、その都度、給電端子６０から、端子金具５０を、一旦、取り外さざるを得なくなる。
　その場合には、例えば、故障していない電気時計やタイマー類等迄も止まってしまい、時刻修正の手間が掛かる、等の不都合を招くことになる。
【０００７】
　そこで、本考案の目的は、バッテリーの１つの給電端子に、互いに独立した複数系統の給電配線を、ワンタッチ操作で、簡単・迅速に並列接続することが出来、且つ、既に取付済みの在来タイプの端子金具に、更に、付加的に取付けることが出来る、バッテリー用の端子金具を提供するにある。
　そして、本考案の付随的な目的は、端子金具を、給電端子に脱・着させる際に、通電中の電気機器への給電が中断される不具合を無くす為の、脱・着時用補助具を提供するにある。
【課題を解決するための手段】
【０００８】
　上記の目的を達成する為の、本考案によるバッテリー用の端子金具は、
　金属帯板を、ほぼオメガ字形に折曲した如き形態を備えて、バッテリーのロッド状給電端子に外嵌させる筒状部分を備え、その両脚部分に挿通させた締結ボルトにより外嵌状態を固定させ、脚部分に配線用端子を設けた、在来タイプの端子金具と併用出来る様に構成されたものであって、
　給電端子６０に取付済みの前記在来タイプの端子金具５０の筒状部分５１ａ、又は、給電端子６０に外嵌させる為の、縮径用切れ目ａを設けた筒状部１、及びその外周面にヒレ片状に突設されて、複数の配線接続端子３を設けた端子形成部２とを備えた金具本体Ａと、
　前記外嵌状態の筒状部１を、締付けて固定させる為の固定用部材Ｂとの、組合わせから成ることを特徴とする。
　前記固定用部Ｂ材は、ほぼＵ字形に屈曲させた金属帯板１１の、両脚部分の先端側に、筒状部１を挟み付ける為の湾曲個所１１ａを設け、基端側には、締付ボルト１２の挿通孔を設けた構成を備えることも特徴とする。
　そして、本考案によるバッテリー用の端子金具の脱・着時用補助具は、
　請求項１又は２記載の端子金具や、請求項１記載の在来タイプの端子金具５０を、給電端子６０に脱・着させる際に、給電端子６０と、給電すベき電気機器との導通が中断されるのを防ぐ為に用いる補助具であって、
　給電端子６０に側方から嵌め込ませる切欠部２１ａ，ｂを備えた挿入プレート２１と、前記端子金具を挟み付ける金属製のクリップ２２と、挿入プレート２１とクリップ２２とを結ぶ導通用配線２３とを備えることを特徴とする。
【考案の効果】
【０００９】
　上記の如き構成を備え、新・旧端子の取替時に用いる、脱・着時用補助具を付属させた、本考案によるバッテリー用の端子金具は、以下に列挙した如き実用上の優れた効果を発揮する。
　（ａ）バッテリーに設けた給電端子が、唯１つであっても、自動車に組込まれた複数の電気機器への給電を、各機器専用の配線を通じて個別に行える。
　（ｂ）その為、複数の電気機器のうちの１つが故障した場合には、この故障機器専用の給電配線だけを、給電端子から切り離せる。
　（ｃ）従って、既存の端子金具の様に、健在の他の電気機器迄も、通電遮断されてしまう不具合を生じなくて済む。
　（ｄ）然も、必要とする複数個の配線接続端子を備えるにも係わらず、構造が至極単純なので、安価に提供出来、且つ、その取付作業も極めて簡単・迅速に、且つ、確実に行える。　
　（ｅ）給電端子に取付済みの在来タイプの給電端子を、本考案による給電端子に取替える時等に、脱・着時用補助具を使えば、給電端子に連なる電気時計等の電気機器類への通電が、中断される不具合を招かなくて済む。
【考案を実施するための最良の形態】
【００１０】
　以下に、本考案による端子金具の一実施例に就いて、図１〜図４、及び図９を参照しながら説明する。
　この実施例の端子金具１００（図４参照）は、図１，図２に示した金具本体Ａと、図３に示した固定用部材Ｂとの組合わせから成る。
【００１１】
　固定用部材Ｂは、図９に示した様に、バッテリーの給電端子６０に、既に取付済みの取付済みの在来タイプの端子金具５０に、更に、図４に示した様に、金具本体Ａを外嵌させた状態を固定させる役割を果たすものである。
【００１２】
　この実施例の金具本体Ａは、１枚の金属板をプレス成形して一体構造に作られており、図７に示した端子金具５０の筒状部分５１ａに外嵌させる為の、縮径用切れ目ａを設けた筒状部１と、この筒状部１の下端周縁部に、外向きに、水平方向に突設した、左右１組のヒレ片状の端子形成部２，２とを備えている。
　筒状部１の頂端面には、左右１組の爪片１ａ，１ａを、上向きに突設している。
【００１３】
　そして、各端子形成部２には、配線接続端子３を、複数箇所、この実施例では各３個所に設けている。
　この実施例の配線接続端子３は、単なるボトル孔である。図示は省いたが、このボトル孔に挿通したボルト及びナットを使って、配線の末端に取付けた接続用金具を、端子形成部２に固定させればよい。
【００１４】
　配線接続端子３は、勿論、ボトル孔に限られず、周知の様々なタイプの端子の中から適宜に選んで用いてもよい。
　又、端子形成部２の形状も、配線接続端子３の配設個数や形態に応じて、任意に決めればよい。
【００１５】
　筒状部１の下端周縁部と、端子形成部２との間には、円弧状溝４を介在させている。
　この円弧状溝４は、端子形成部２の部分を、必要に応じて、適宜の角度に折り曲げ易くし、又、端子形成部２を補強する等の為にも役立つ。
【００１６】
　固定用部材Ｂは、図３に示した様に、ほぼＵ字形に屈曲させた金属帯板１１の、両脚部分の各先端側に、金具本体Ａの筒状部１を挟み付ける為の湾曲個所１１ａを設け、両脚部分の基端側には、締付ボルト１２を挿通させる為のボトル孔（図示略）を設けた構成を備えている。１３は、締付用のナットである。
　湾曲個所１１ａの頂端面には、筒状部１の爪片１ａを水平に折曲したうえ、嵌め込ませる為の、左右１組の切欠１１ｂ，１１ｂを設けている。
【００１７】
　次に、在来タイプの端子金具５０を、本考案の端子金具１００に取替える際に、バッテリーの給電端子６０と、給電すベき電気機器との電気的導通が、中断されるのを防ぐ役割を果たす、脱・着時用補助具の具体例に就いて、図５及び図６を参照しながら説明する。
　図５は、この実施例の脱・着時用補助具２００の平面図、図６は、その使用状態を示した側面図である。
【００１８】
　脱・着時用補助具２００は、図６に示した様に、給電端子６０に取付けられた、在来タイプの端子金具５０の下面側に挿し込ませる挿入プレート２１と、端子金具５０を挟み付ける金属製のクリップ２２とを、所定長さの導通用配線２３を介して連結させた構成を備えている。
【００１９】
　挿入プレート２１の先端個所には、図示の様に、給電端子６０を挟み込ませる為の切欠部２１ａ，２１ｂを設けている。
　この様に、大きさが異なる２種類の切欠部を設けたことによって、外径が相異する２種類の給電端子６０に対応出来る。
【００２０】
　次に、この実施例の端子金具１００の使い方に就いて、その一例を、各図を参照しながら説明する。　
　この場合は、図９に示した様に、端子金具１００を取付けるべき、カーバッテリーの給電端子６０には、既存タイプの端子金具５０が、既に取付けられており、
端子金具１００は、図４に示した様に、この端子金具５０の筒状部分５１ａに、更に、外嵌させた状態で取付けることにする。
【００２１】
　それには、端子金具５０の筒状部分５１ａに、先ず、金具本体Ａの筒状部１を外嵌させる。
　続いて、ナット１３を予め緩めて置いた固定用部材Ｂの、１組の湾曲個所１１ａ，１１ａの部分を、筒状部１に上方から外嵌させる。
【００２２】
　然かる後、ナット１３を締め付ける。次いで、筒状部１の頂面に突設した爪片１ａを、外向きに折り曲げて、湾曲個所１１ａの頂面に設けた切欠１１ｂに嵌め込めば、端子金具１００を、給電端子６０に取付ける作業は、至極簡単・迅速に完了する。
【００２３】
　そして、既存タイプの端子金具５０の配線用端子５４には、主要な電力消費機器である点火栓群への給電配線（図示略）を接続する。
　一方、端子金具１００の複数の配線接続端子３には、より消費電力の少ない各種の電気機器への、各専用の給電配線を並列状に夫々接続させる。
【００２４】
　これによって、自動車に組込まれた複数の電気機器への、バッテリーの唯１つの給電端子６０からの給電を、各機器専用の配線を通じて個別に行うことが出来る。
【００２５】
　その為、複数の電気機器のうちの１つが故障した場合には、この故障機器専用の給電配線だけを、給電端子６０から切り離すことが出来る。
　従って、既存の端子金具５０等の様に、健在の他の電気機器迄も、通電遮断されてしまう不具合を生じなくて済む。
【００２６】
　然も、本考案による端子金具１００は、必要とする複数個の配線接続端子３を備えるにも係わらず、構造が至極単純なので、安価に提供出来、且つ、その取付作業も極めて簡単・迅速に、且つ、確実に行える。　
【００２７】
　尚、本考案によるバッテリー用の端子金具は、既存タイプの端子金具と併用する使い方の他に、この既存タイプの端子金具は省いて、バッテリーの給電端子に直接取付ける使い方をしても、勿論、既述の優れた特長を十分に発揮させられる。
　又、給電端子６０に既に取付けてある既存タイプの端子金具５０を、本考案の端子金具１００に取替えることも勿論出来る。
【００２８】
　その場合に、今迄使っていた既存タイプの端子金具５０を、いきなり、給電端子６０からを取り外してしまうと、今迄、給電端子６０と導通状態にあった電子機器類、例えば、電気時計やタイマー類への通電が、新しいタイプの端子金具１００に取替え終える迄の間、中断されてしまう不具合が生ずる。
【００２９】
　この様な不具合を起こらなくする為に用いるのが、本考案による脱・着時用補助具２００である。
　その使い方は、先ず、給電端子６０に取付けてある、在来タイプの端子金具５０の締付ナット５３（図７参照）を緩めたうえで、図６に示した様に、挿入プレート２１を、筒状部分５１ａの下面側に差し込み、その切欠部２１ａが、給電端子６０を側方から挟み付けた状態にする（図５参照）。
【００３０】
　次いで、クリップ２２が、端子金具５０の配線用端子５４を挟み付けた状態にする（図６参照）。
　この様な状態にしてから、端子金具５０を、給電端子６０から取り外す。
　この時、端子金具５０の配線用端子５４には、電気時計等の電気機器が、給電配線（図示略）を介して接続されている。
【００３１】
　然し、配線用端子５４は、脱・着時用補助具２００のクリップ２２，導通用配線２３、及び挿入プレート２１を介して、給電端子６０に導通されている。
　即ち、端子金具５０を、給電端子６０から取外してしまっても、電気機器への通電は断たれない。
【００３２】
　そこで、このままの状態で、電気機器への給電配線を接続済みの、新タイプの端子金具１００を、給電端子６０に取付ける。
　然かる後、脱・着時用補助具２００を撤去すれば、旧・新の端子金具５０、１００の取替操作は完了する。
　この取替作業中に、今迄通電され続けていた電気時計やタイマー類等の電気機器への給電が、中断されてしまう不具合が生ずる恐れは全くない。
【図面の簡単な説明】
【００３３】
【図１】本考案の一実施例を示すもので、端子金具を構成する金具本体の平面図である。
【図２】同上、図１のＸ−Ｘ線に沿う縦断面図である。
【図３】同上、端子金具を構成する固定用部材の平面図（ａ）、左側側面図（ｂ）、及び右側側面図（ｃ）である。
【図４】同上、バッテリーの給電端子に、在来タイプの端子金具を取付けたうえ、更に、その外周りに、本考案による端子金具を嵌着状態で取付けた有様を示す平面図である。
【図５】同上、脱・着時用補助具の平面図である。
【図６】同上、脱・着時用補助具の使用状態を示す側面図である。
【図７】従来例を示すもので、在来タイプの端子金具の平面図である。
【図８】同上、図７の左側から見た側面図である。
【図９】同上、バッテリーの給電端子に、端子金具を取付けた状態を示す側面図である。
【符号の説明】
【００３４】
１００　端子金具
２００　脱・着時用補助具
　Ａ　金具本体
　Ｂ　固定用部材
　１ａ　爪片
　１　筒状部
　２　端子形成部
　３　配線接続端子
　４　円弧状溝
１１　金属帯板
１１ａ　湾曲個所
１１ｂ　切欠
１２　締付ボルト
１３　ナット
　ａ　縮径用切れ目
２１　挿入プレート
２１ａ，２１ｂ　切欠部
２２　クリップ
２３　導通用配線
５０　従来タイプの端子金具
５１　金具本体
５１ａ　筒状部分
５１ｂ　脚部分
５２　締付ボルト
５３　ナット
５４　配線用端子
６０　給電端子
【図１】
0003099596.tif 000003
【図２】
0003099596.tif 000004
【図３】
0003099596.tif 000005
【図４】
0003099596.tif 000006
【図５】
0003099596.tif 000007
【図６】
0003099596.tif 000008
【図７】
0003099596.tif 000009
【図８】
0003099596.tif 000010
【図９】
0003099596.tif 000011